(57)【要約】【課題】簡便に、プロジェクタにおける液晶ライトバルブの劣化を抑制する。【解決手段】プロジェクタ（１１００）は、第１波長を有する第１光及び第２波長を有する第２光を含む複数の光が一光束にまとめられてなる光源光を出射する光源手段（１１０２）と、出射された光源光に含まれる第１光を透過することで第１光を光源光から分離する第１領域（１１０４Ｂ）、及び出射された光源光に含まれる第２光を透過することで第２光を光源光から分離する第２領域（１１０４Ｒ）を有し、該第１及び第２領域の一方が選択的に光源光の光路に置かれることで、複数の光を相互から分離可能である第１分離手段（１１０４）と、分離された複数の光を夫々変調する変調手段（１１１０ａ、１１１０ｂ、１１１０ｃ）と、変調された複数の光を合成して投射する合成投射光学系（１１１４）とを備える。【選択図】図１
2009025681.tif 000002
【特許請求の範囲】
【請求項１】
第１波長を有する第１光及び第２波長を有する第２光を含む複数の光が一光束にまとめられてなる光源光を出射する光源手段と、
前記出射された光源光に含まれる前記第１光を透過することで前記第１光を前記光源光から分離する第１領域、及び前記出射された光源光に含まれる前記第２光を透過することで前記第２光を前記光源光から分離する第２領域を有し、該第１及び第２領域の一方が選択的に前記光源光の光路に置かれることで、前記複数の光を相互から分離可能である第１分離手段と、
前記分離された複数の光を夫々変調する変調手段と、
前記変調された複数の光を合成して投射する合成投射光学系と
を備えることを特徴とするプロジェクタ。
【請求項２】
前記第１及び第２領域の一方が前記光路に置かれるように、前記第１分離手段を駆動する駆動手段を更に備えることを特徴とする請求項１に記載のプロジェクタ。
【請求項３】
前記複数の光は、第３波長を有する第３光を更に含み、
前記第１及び第２光の一方が分離された光源光に含まれる、前記第１及び第２光の他方と前記第３光とを相互から分離する第２分離手段を更に備える
ことを特徴とする請求項１又は２に記載のプロジェクタ。
【請求項４】
前記第２分離手段は、前記第１及び第２光の他方と前記第３光とのうち一方の光を透過することで該一方の光を分離する第３領域及び前記第１及び第２光の他方と前記第３光とのうち他方の光を透過することで該他方の光を分離する第４領域を有し、第３及び第４領域の一方が前記第１及び第２光の他方と前記第３光との光路に置かれ、
前記第３及び第４領域の一方が前記第１及び第２光の他方と前記第３光との光路に置かれるように、前記第２分離手段を駆動する他の駆動手段を更に備える
ことを特徴とする請求項３に記載のプロジェクタ。
【請求項５】
前記複数の光は、第３波長を有する第３光を更に含み、
前記第１分離手段は、前記出射された光源光に含まれる前記第３光を透過することで前記第３光を前記光源光から分離する第５領域を更に有し、前記第１領域、前記第２領域及び前記第５領域のいずれか一つが前記光源光の光路に置かれることで、前記複数の光を相互から分離可能である
ことを特徴とする請求項１又は２に記載のプロジェクタ。
【請求項６】
前記第１から第３光のいずれか一つが分離された光源光に含まれる、前記第１から第３光のいずれか一つ以外からなる複数の光を相互から分離する第２分離手段を更に備える
ことを特徴とする請求項５に記載のプロジェクタ。
【請求項７】
前記第２分離手段は、前記いずれか一つ以外からなる複数の光のうち一方の光を透過することで該一方の光を分離する第３領域及び前記いずれか一つ以外からなる複数の光のうち他方の光を透過することで該他方の光を分離する第４領域を有し、第３及び第４領域の一方が前記いずれか一つ以外からなる複数の光の光路に置かれ、
前記第３及び第４領域の一方が前記いずれか一つ以外からなる複数の光の光路に置かれるように、前記第２分離手段を駆動する他の駆動手段を更に備える
ことを特徴とする請求項６に記載のプロジェクタ。
【請求項８】
前記光源手段及び前記第１分離手段間に配置され、前記出射された光源光を前記第１及び第２領域の一方上に集光する集光レンズを更に備えることを特徴とする請求項１乃至７のいずれか一項に記載のプロジェクタ。
【請求項９】
前記変調手段は、前記複数の光別に設けられた複数の液晶装置からなり、
前記複数の液晶装置の各々が変調した時間を計数する時間計数手段と、
前記計数された時間に応じて前記第１分離手段を駆動するように前記駆動手段を制御する制御手段と
を更に備えることを特徴とする請求項２乃至８のいずれか一項に記載のプロジェクタ。
【請求項１０】
前記第１光は青色光であることを特徴とする請求項１乃至９のいずれか一項に記載のプロジェクタ。
【発明の詳細な説明】
【技術分野】
【０００１】
本発明は、例えば赤色光、緑色光及び青色光の夫々を変調する３枚の液晶ライトバルブを備えた複板式プロジェクタの技術分野に関する。
【背景技術】
【０００２】
この種のプロジェクタでは、該プロジェクタにおける液晶ライトバルブの劣化抑制が図られる。例えば、特許文献１には、３板式の液晶プロジェクタにおいて、ホログラム素子への印加電圧を制御することによって、該ホログラム素子が回折又は透過する色光（即ち、波長）を変更して、各液晶ライトバルブに入射する色光を所定のタイミングで変更する技術が記載されている。
【０００３】
【特許文献１】特開２００２−７２１８５号公報
【発明の開示】
【発明が解決しようとする課題】
【０００４】
しかしながら上述の背景技術によれば、ホログラム素子への印加電圧の制御に高い精度が要求されると共に、動作時における印加電圧の変動により、ホログラム素子によって回折又は透過される光が変動する可能性があるという技術的問題点がある。
【０００５】
本発明は、例えば上記問題点に鑑みてなされたものであり、簡便に液晶ライトバルブの劣化を抑制することができるプロジェクタを提供することを課題とする。
【課題を解決するための手段】
【０００６】
本発明のプロジェクタは、上記課題を解決するために、第１波長を有する第１光及び第２波長を有する第２光を含む複数の光が一光束にまとめられてなる光源光を出射する光源手段と、前記出射された光源光に含まれる前記第１光を透過することで前記第１光を前記光源光から分離する第１領域、及び前記出射された光源光に含まれる前記第２光を透過することで前記第２光を前記光源光から分離する第２領域を有し、該第１及び第２領域の一方が選択的に前記光源光の光路に置かれることで、前記複数の光を相互から分離可能である第１分離手段と、前記分離された複数の光を夫々変調する変調手段と、前記変調された複数の光を合成して投射する合成投射光学系とを備える。
【０００７】
本発明のプロジェクタによれば、例えばハロゲンランプ等である光源手段は、第１波長を有する第１光及び第２波長を有する第２光を含む複数の光が一光束にまとめられてなる光源光を出射する。
【０００８】
例えばダイクロイックミラーである第１分離手段は、出射された光源光に含まれる第１光を透過することで第１光を光源光から分離する第１領域、及び出射された光源光に含まれる第２光を透過することで第２光を光源光から分離する第２領域を有し、該第１及び第２領域の一方が選択的に光源光の光路に置かれることで、複数の光を相互から分離可能である。
【０００９】
第１分離手段の第１及び第２領域の一方を光源光の光路に置く際には、例えばモータ等の駆動手段により第１及び第２領域の一方が光路上に配置されるように、第１分離手段を駆動すればよい。或いは、手動により第１及び第２領域の一方を光路上に配置すればよい。
【００１０】
例えば液晶プロジェクタに用いられる液晶ライトバルブである液晶装置を複数含んで構成される変調手段は、分離された複数の光を夫々変調する。
【００１１】
出射された光源光が第１分離手段の第１領域に入射すると、第１光が第１分離手段を透過することによって光源光から分離され、第１光が複数の液晶装置のうち一の液晶装置に入射する。分離された光源光は、第１分離手段によって反射される。具体的には例えば、第１光が青色光である場合、第１分離手段の第１領域は、青色光を透過すると共に、黄色光を反射する。
【００１２】
一方、出射された光源光が第２領域に入射すると、第２光が第１分離手段を透過することによって光源光から分離され、第２光が前記一の液晶装置に入射する。具体的には例えば、第２光が赤色光である場合、第１分離手段の第２領域は、赤色光を透過すると共に、シアン光を反射する。
【００１３】
第１分離手段によって反射された（即ち、分離された）光源光は、典型的には、第２分離手段に入射して、反射された光源光に含まれる第１及び第２光の他方と、それ以外の光（例えば、緑色光）とに分離され、夫々対応する液晶装置に入射する。
【００１４】
例えば投射レンズを含んで構成される合成投射光学系は、変調手段によって変調された複数の光を合成して、例えばスクリーン等に投射する
本願発明者の研究によれば、一般に、青色光は波長が短くエネルギーが高いため、また紫外線領域に近い青色光には少なからず紫外線が含まれるため、青色光が照射される液晶装置は、赤色光や緑色光が照射される液晶装置と比較して、液晶や配向膜等の有機材料の劣化が速い。
【００１５】
他方、３板式の液晶プロジェクタにおいて、ホログラム素子への印加電圧を制御することによって、各液晶装置に入射する光の波長を変更して、各液晶装置の劣化を均等にする技術が提案されている。しかしながら、印加電圧の制御に高い精度が要求される等の可能性があることが判明している。
【００１６】
しかるに本発明では、第１分離手段の第１及び第２領域の一方が選択的に光源光の光路に置かれることで、第１又は第２光を複数の光から分離することができる。第１又は第２光を青色光とすれば、常に同一の液晶装置に青色光が照射されることを回避することができ、液晶装置の劣化を抑制することが可能となる。
【００１７】
加えて、第１分離手段における第１及び第２領域は、予め特定の光の波長を透過するように形成されているため、第１分離手段が透過する光の波長が変動することはない。
【００１８】
以上の結果、本発明のプロジェクタによれば、簡便に液晶ライトバルブの劣化を抑制することができる。
【００１９】
本発明のプロジェクタの一態様では、前記第１及び第２領域の一方が前記光路に置かれるように、前記第１分離手段を駆動する駆動手段を更に備える。
【００２０】
この態様によれば、比較的容易にして、第１分離手段における第１及び第２領域の一方を光源光の光路に配置することができる。尚、駆動手段は、例えば、当該プロジェクタが起動された際に、第１及び第２領域の一方が光路に置かれるように、第１分離手段を自動的に駆動する。
【００２１】
本発明のプロジェクタの他の態様では、前記複数の光は、第３波長を有する第３光を更に含み、前記第１及び第２光の一方が分離された光源光に含まれる、前記第１及び第２光の他方と前記第３光とを相互から分離する第２分離手段を更に備える。
【００２２】
例えばダイクロイックミラーである第２分離手段は、第１及び第２光の一方が分離された光源光に含まれる、第１及び第２光の他方と第３光とを相互から分離する。尚、第２分離手段は、第３光を透過することで第１及び第２光の他方と分離してもよいし、第３光を反射することで第１及び第２光の他方と分離してもよい。
【００２３】
第２分離手段によって分離された第３光が、特定の液晶装置に入射するようにすると共に、第３光を緑色光とすれば、投射される画像の輝度に大きな影響を与える緑色光が、特定の液晶装置によってのみ変調されるので、第１光及び第２光を切り替えることによる輝度変化を抑制することができ、実用上非常に有利である。
【００２４】
加えて、第２分離手段を駆動する必要がないので、当該プロジェクタの小型化を図ることができると共に、コストを軽減することができる。
【００２５】
この態様では、前記第２分離手段は、前記第１及び第２光の他方と前記第３光とのうち一方の光を透過することで該一方の光を分離する第３領域及び前記第１及び第２光の他方と前記第３光とのうち他方の光を透過することで該他方の光を分離する第４領域を有し、第３及び第４領域の一方が前記第１及び第２光の他方と前記第３光との光路に置かれ、前記第３及び第４領域の一方が前記第１及び第２光の他方と前記第３光との光路に置かれるように、前記第２分離手段を駆動する他の駆動手段を更に備えてもよい。
【００２６】
このように構成すれば、第１及び第２光のうち一方を三つの液晶装置のいずれかに対し照射することができる。第１及び第２光のうち一方を青色光とすれば、液晶装置の劣化をより抑制することができる。
【００２７】
本発明のプロジェクタの他の態様では、前記複数の光は、第３波長を有する第３光を更に含み、前記第１分離手段は、前記出射された光源光に含まれる前記第３光を透過することで前記第３光を前記光源光から分離する第５領域を更に有し、前記第１領域、前記第２領域及び前記第５領域のいずれか一つが前記光源光の光路に置かれることで、前記複数の光を相互から分離可能である。
【００２８】
この態様によれば、第１分離手段は、第１及び第２領域に加えて、出射された光源光に含まれる第３光を透過することで第３光を光源光から分離する第５領域を有し、第１領域、第２領域及び第５領域のいずれか一つが光源光の光路に置かれることで、複数の光を相互から分離可能である。
【００２９】
この態様では、前記第１から第３光のいずれか一つが分離された光源光に含まれる、前記第１から第３光のいずれか一つ以外からなる複数の光を相互から分離する第２分離手段を更に備えてもよい。
【００３０】
このように構成すれば、第２分離手段は、第１分離手段によって第１から第３光のいずれか一つが分離された光源光に含まれる、第１から第３光のいずれか一つ以外からなる複数の光を相互から分離する。
【００３１】
この態様では、前記第２分離手段は、前記いずれか一つ以外からなる複数の光のうち一方の光を透過することで該一方の光を分離する第３領域及び前記いずれか一つ以外からなる複数の光のうち他方の光を透過することで該他方の光を分離する第４領域を有し、第３及び第４領域の一方が前記いずれか一つ以外からなる複数の光の光路に置かれ、前記第３及び第４領域の一方が前記いずれか一つ以外からなる複数の光の光路に置かれるように、前記第２分離手段を駆動する他の駆動手段を更に備えてもよい。
【００３２】
このように構成すれば、第１から第３光のうち少なくとも二つの光を、三つの液晶装置のいずれかに対し照射することができる。
【００３３】
本発明のプロジェクタの他の態様では、前記光源手段及び前記第１分離手段間に配置され、前記出射された光源光を前記第１及び第２領域の一方上に集光する集光レンズを更に備える。
【００３４】
この態様によれば、集光レンズは、光源手段及び第１分離手段間、即ち、光源手段及び第１分離手段を結ぶ光路上に配置される。集光レンズは、光源手段から出射された光源光を第１分離手段上に集光する。ここに、「集光する」とは、光の径を、例えば液晶装置における画像表示領域と同程度の大きさにすることを意味する。尚、光の径を画像表示領域より小さくする場合は、第１分離手段より後ろ且つ液晶装置より前に、光の径を大きくするレンズを配置する必要がある。
【００３５】
これにより、第１分離手段における第１領域及び第２領域の面積を小さくすることができ、当該プロジェクタの小型化を図ることができる。
【００３６】
本発明のプロジェクタの他の態様では、前記変調手段は、前記複数の光別に設けられた複数の液晶装置からなり、前記複数の液晶装置の各々が変調した時間を計数する時間計数手段と、前記計数された時間に応じて前記第１分離手段を駆動するように前記駆動手段を制御する制御手段とを更に備える。
【００３７】
この態様によれば、変調手段は、複数の光別に設けられた、例えば液晶ライトバルブである複数の液晶手段からなる。
【００３８】
例えばカウンタである時間計数手段は、複数の液晶装置の各々が変調した時間（即ち、液晶装置に光が照射された時間）を計数する。尚、時間の計数は、液晶装置が変調した波長毎（例えば、青色光、赤色光及び緑色光）に行われてもよいし、特定の波長（例えば、青色光）のみについて行われてもよい。
【００３９】
制御手段は、計数された時間に応じて、第１分離手段を駆動するように駆動手段を制御する。ここに、「計数された時間に応じて」とは、複数の液晶装置の各々が、複数の光を変調した時間が均一に近づくように、即ち、複数の液晶装置のうち特定の液晶装置が特定の光を多く変調するという偏りがなくなるようにという意味である。
【００４０】
本発明のプロジェクタの他の態様では、前記第１光は青色光である。
【００４１】
この態様によれば、特定の液晶装置が青色光のみを変調することを回避することができる。
【００４２】
本発明の作用及び他の利得は次に説明する実施するための最良の形態から明らかにされよう。
【発明を実施するための最良の形態】
【００４３】
以下、本発明のプロジェクタに係る実施形態を図面に基づいて説明する。
【００４４】
＜第１実施形態＞
本発明のプロジェクタに係る第１実施形態を、図１乃至図５を参照して説明する。
【００４５】
先ず、図１を参照しながら、本実施形態に係るプロジェクタについて説明する。図１は、本実施形態に係るプロジェクタの構成例を示す平面図である。尚、本実施形態では、３板式のプロジェクタについて説明するが、プロジェクタに設けられ、ライトバルブとして用いられている液晶パネルの数は３つに限られず、２つや４つ以上であってもよい。
【００４６】
図１において、プロジェクタ１１００は、ハロゲンランプ等の白色光源からなるランプユニット１１０２と、液晶パネル１１１０ａ、１１１０ｂ及び１１１０ｃと、投射レンズ１１１４と、ダイクロイックミラー１１０４及び１１０８と、集光レンズ１１０３と、３枚のミラー１１０６と、ダイクロイックプリズム１１１２と、アクチュエータ（ＡＣＴ）１１０５と、ＣＰＵ（Ｃｅｎｔｒａｌ  Ｐｒｏｃｅｓｓｉｎｇ  Ｕｎｉｔ）１１１６と、メモリ１１１８とを備えて構成されている。
【００４７】
ここに、本実施形態に係る「ランプユニット１１０２」、「液晶パネル１１１０ａ、１１１０ｂ及び１１１０ｃ」、「投射レンズ１１１４」、「ダイクロイックミラー１１０４」、「ダイクロイックミラー１１０８」及び「アクチュエータ１１０５」は、夫々、本発明に係る「光源手段」、「液晶装置」、「合成投射光学系」、「第１分離手段」、「第２分離手段」及び「駆動手段」の一例である。また、本実施形態に係る「ＣＰＵ１１１６」は、本発明に係る「時間計数手段」及び「制御手段」の一例である。
【００４８】
ここで、図２及び図３を参照して、液晶パネル１１１０ａ、１１１０ｂ及び１１１０ｃについて説明を加える。尚、液晶パネル１１１０ａ、１１１０ｂ及び１１１０ｃの夫々のパネル構造は互いに同一であるため、以下では、液晶パネル１１１０ｂ及び１１１０ｃのパネル構造についての説明を省略する。
【００４９】
図２は、液晶パネル１１１０ａにおけるＴＦＴ（Ｔｈｉｎ  Ｆｉｌｍ  Ｔｒａｎｓｉｓｔｏｒ）アレイ基板をその上に形成された各構成要素と共に対向基板の側からみた平面図であり、図３は、図２のＨ−Ｈ´線断面図である。
【００５０】
図２及び図３において、本実施形態の液晶パネル１１１０ａでは、ＴＦＴアレイ基板１０及び対向基板２０が対向配置されている。ＴＦＴアレイ基板１０は、例えば、石英基板、ガラス基板、シリコン基板等の透明基板からなり、対向基板２０は、例えば、石英基板、ガラス基板等の透明基板からなる。ＴＦＴアレイ基板１０と対向基板２０との間に液晶層５０が封入されており、ＴＦＴアレイ基板１０と対向基板２０とは、複数の画素が設けられた領域に対応する画像表示領域１０ａの周囲に位置するシール領域に設けられたシール材５２により相互に接着されている。
【００５１】
シール材５２は、両基板を貼り合わせるための、例えば紫外線硬化樹脂や熱硬化樹脂、又は紫外線・熱併用型硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、ギャップ）を所定値とするためのグラスファイバ或いはガラスビーズ等のギャップ材が散布されている。尚、ギャップ材を、シール材５２に混入されるものに加えて若しくは代えて、画像表示領域１０ａ又は画像表示領域１０ａの周辺に位置する周辺領域に、配置するようにしてもよい。
【００５２】
図２において、シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００５３】
周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。走査線駆動回路１０４は、この一辺に隣接する２辺に沿ったシール領域の内側に、額縁遮光膜５３に覆われるようにして設けられている。
【００５４】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。更に、外部回路接続端子１０２と、データ線駆動回路１０１、走査線駆動回路１０４、上下導通端子１０６等とを電気的に接続するための引回配線９０が形成されている。
【００５５】
図３において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ（Ｉｎｄｉｕｍ  Ｔｉｎ  Ｏｘｉｄｅ）等の透明材料からなる画素電極９ａが、画素毎に所定のパターンで島状に形成されている。
【００５６】
画素電極９ａは、後述する対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００５７】
対向基板２０におけるＴＦＴアレイ基板１０との対向面上に、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、ランプユニット１１０２から出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００５８】
遮光膜２３上に、ＩＴＯ等の透明材料からなる対向電極２１が複数の画素電極９ａと対向して形成されている。対向基板２０の対向面上における、対向電極２１上には、配向膜２２が形成されている。
【００５９】
尚、図２及び図３に示したＴＦＴアレイ基板１０上には、これらのデータ線駆動回路１０１、走査線駆動回路１０４、サンプリング回路７等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００６０】
次に、図４を参照して、ダイクロイックミラー１１０４について説明を加える。図４は、本実施形態に係るダイクロイックミラー１１０４を模式的に示す模式図である。
【００６１】
図４において、ダイクロイックミラー１１０４は、青色光（Ｂ）を透過する（言い換えれば、黄色光を反射する）領域１１０４Ｂと、赤色光（Ｒ）を透過する（言い換えれば、シアン光を反射する）領域１１０４Ｒとを有している。アクチュエータ１１０５は、ダイクロイックミラー１１０４を紙面の上下方向に駆動可能である。尚、本実施形態に係る「青色光」、「赤色光」、「領域１１０４Ｂ」及び「領域１１０４Ｒ」は、夫々、本発明に係る「第１光」、「第２光」、「第１領域」及び「第２領域」の一例である。
【００６２】
再び図１に戻り、ダイクロイックミラー１１０８は、本発明に係る「第３光」の一例としての緑色光（Ｇ）を透過する。言い換えれば、ダイクロイックミラー１１０８は、青色光又は赤色光を反射する。
【００６３】
当該プロジェクタ１１００の動作時には、ランプユニット１１０２から出射された光Ｌは、集光レンズ１１０３によって、ダイクロイックミラー１１０４上に集光される。この際の光Ｌの径は、例えば、光Ｌのスポット内に液晶パネル１１１０ａの画像表示領域１０ａが収まる大きさである。
【００６４】
ダイクロイックミラー１１０４の領域１１０４Ｂが、光Ｌの光路上に配置されている場合、光Ｌは、ダイクロイックミラー１１０４によって、青色光と黄色光とに分離される。該分離された青色光は、ダイクロイックミラー１１０４を透過し、ミラー１１０６を介して、液晶パネル１１１０ａに入射する。一方、分離された黄色光は、ダイクロイックミラー１１０４によって反射され、ダイクロイックミラー１１０８に入射する。
【００６５】
ダイクロイックミラー１１０８に入射した黄色光は、ダイクロイックミラー１１０８によって、赤色光と緑色光とに分離される。該分離された赤色光は、ダイクロイックミラー１１０８によって反射され、液晶パネル１１１０ｂに入射する。一方、分離された緑色光は、２枚のミラー１１０６を介して、液晶パネル１１１０ｃに入射する。
【００６６】
液晶パネル１１１０ａ、１１１０ｂ及び１１１０ｃは、図示しない画像信号処理回路から供給されるＢ、Ｒ、Ｇの原色信号に応じて液晶層５０に印加される駆動電圧によって、青色光、赤色光及び緑色光の夫々を変調する。
【００６７】
これらの液晶パネルによって変調された光は、ダイクロイックプリズム１１１２に３方向から入射される。このダイクロイックプリズム１１１２においては、青色光及び緑色光が９０度に屈折する一方、赤色光が直進する。従って、各色の画像が合成される結果、投射レンズ１１１４を介して、スクリーン等にカラー画像が投写されることとなる。
【００６８】
他方、ダイクロイックミラー１１０４の領域１１０４Ｒが、光Ｌの光路上に配置されている場合、光Ｌは、ダイクロイックミラー１１０４によって、赤色光とシアン光とに分離される。該分離された赤色光は、ダイクロイックミラー１１０４を透過し、ミラー１１０６を介して、液晶パネル１１１０ａに入射する。一方、分離されたシアン光は、ダイクロイックミラー１１０４によって反射され、ダイクロイックミラー１１０８に入射する。
【００６９】
ダイクロイックミラー１１０８に入射したシアン光は、ダイクロイックミラー１１０８によって、青色光と緑色光とに分離される。該分離された青色光は、ダイクロイックミラー１１０８によって反射され、液晶パネル１１１０ｂに入射する。一方、分離された緑色光は、２枚のミラー１１０６を介して、液晶パネル１１１０ｃに入射する。
【００７０】
尚、ダイクロイックミラー（ＤＭ）１１０４及び１１０８夫々を透過する光と、液晶パネル１１１０ａ、１１１０ｂ及び１１１０ｃ夫々に入射する光との関係は、図５に示すようになる。図５は、本実施形態に係る各ダイクロイックミラーを透過する光と、各液晶パネルに入射する光との関係を示した表である。
【００７１】
ＣＰＵ１１１６は、液晶パネル１１１０ａ、１１１０ｂ及び１１１０ｃの夫々について、各液晶パネル１１１０ａ、１１１０ｂ及び１１１０ｃが、少なくとも青色光を変調した時間を計数して、該計数された時間をメモリ１１１８に格納する。尚、時間の計数は、例えば、ダイクロイックミラー１１０４における領域１１０４Ｂ及び１１０４Ｒ夫々が光Ｌの光路上に配置されている時間を計数すればよい。
【００７２】
ＣＰＵ１１１６は、メモリ１１１８に格納されている時間に応じて、ダイクロイックミラー１１０４を駆動するようにアクチュエータ１１０５を制御する。具体的には、液晶パネル１１１０ａ及び１１１０ｂ夫々が、青色光を変調する時間が、ほぼ等しくなるようにアクチュエータ１１０５を制御する。
【００７３】
以上の結果、本実施形態に係るプロジェクタ１１００によれば、ダイクロイックミラー１１０４が駆動されることによって、特定の液晶パネルのみが青色光を変調することを回避することができ、簡便に液晶パネル１１１０ａ、１１１０ｂ及び１１１０ｃの劣化を抑制することができる。
【００７４】
更に、投射される画像の輝度に大きな影響を与える緑色光が、液晶パネル１１１０ｃによってのみ変調されるので、青色光及び赤色光を切り替えることによる輝度変化を抑制することができる。
【００７５】
尚、各液晶パネル１１１０ａ、１１１０ｂ及び１１１０ｃによる表示像について着目すると、液晶パネル１１１０ａ及び１１１０ｃによる表示像は、液晶パネル１１１０ｂによる表示像に対して左右反転される。また、液晶パネル１１１０ａ、１１１０ｂ及び１１１０ｃには、ダイクロイックミラー１１０４及び１１０８によって、Ｒ、Ｇ及びＢの各原色に対応する光が入射するので、カラーフィルタを設ける必要はない。
【００７６】
（第１変形例）
次に、図６を参照しながら、ダイクロイックミラー１１０４及びアクチュエータ１１０５の第１変形例を説明する。図６は、図４と同趣旨の、第１実施形態の第１変形例に係るダイクロイックミラー１１０４を模式的に示す模式図である。
【００７７】
図６に示すように、ダイクロイックミラー１１０４は扇形をしており、支持部１１０４ａを介して、アクチュエータ１１０５の駆動軸１１０５ａに接続されている。動作時には、駆動軸１１０５ａを中心として、ダイクロイックミラー１１０４が回転することによって、光Ｌの光路上に、領域１１０４Ｂ又は１１０４Ｒが配置される。
【００７８】
（第２変形例）
次に、図７を参照しながら、ダイクロイックミラー１１０４及びアクチュエータ１１０５の第２変形例を説明する。図７は、図４と同趣旨の、第１実施形態の第２変形例に係るダイクロイックミラー１１０４を模式的に示す模式図である。
【００７９】
図７に示すように、ダイクロイックミラー１１０４は円形をしており、その中心がアクチュエータ１１０５の駆動軸１１０５に接続されている。動作時に、ダイクロイックミラー１１０４が回転することによって、光Ｌの光路上に、領域１１０４Ｂ又は１１０４Ｒが配置される。
【００８０】
＜第２実施形態＞
本発明のプロジェクタに係る第２実施形態を、図８乃至図１０を参照して説明する。第２実施形態では、ダイクロイックミラー１１０４及び１１０８の構成が異なっている以外は、第１実施形態と同様である。よって、第２実施形態について、第１実施形態と重複する説明を省略すると共に、図面上における共通箇所には同一符号を付して示し、基本的に異なる点についてのみ、図８乃至図１０を参照して説明する。
【００８１】
先ず、図８を参照しながら、本実施形態に係るプロジェクタについて説明する。図８は、図１と同趣旨の、本実施形態に係るプロジェクタの構成例を示す平面図である。
【００８２】
図８において、プロジェクタ１２００は、ランプユニット１１０２と、液晶パネル１１１０ａ、１１１０ｂ及び１１１０ｃと、投射レンズ１１１４と、ダイクロイックミラー１１０４及び１１０８と、集光レンズ１１０３と、３枚のミラー１１０６と、ダイクロイックプリズム１１１２と、アクチュエータ１１０５及び１２０９と、ＣＰＵ１１１６と、メモリ１１１８とを備えて構成されている。
【００８３】
ここに、本実施形態に係る「アクチュエータ１２０９」は、本発明に係る「他の駆動手段」の一例である。
【００８４】
ここで、図９を参照して、ダイクロイックミラー１１０４及び１１０８について説明を加える。図９は、図４と同趣旨の、本実施形態に係るダイクロイックミラー１１０４を模式的に示す模式図である。尚、ダイクロイックミラー１１０８の構成は、ダイクロイックミラー１１０４の構成と同様であるので、ダイクロイックミラー１１０８に関しては括弧書きで番号を示す。
【００８５】
図９において、ダイクロイックミラー１１０４（１１０８）は、青色光を透過する領域１１０４Ｂ（１１０８Ｂ）と、赤色光を透過する領域１１０４Ｒ（１１０８Ｒ）と、緑色光を透過する１１０４Ｇ（１１０８Ｇ）とを有している。アクチュエータ１１０５（１２０９）は、ダイクロイックミラー１１０４（１１０８）を紙面の上下方向に駆動可能である。
【００８６】
尚、本実施形態に係る「領域１１０４Ｂ」、「領域１１０４Ｒ」、「領域１１０４Ｇ」、「領域１１０８Ｂ」及び「領域１１０８Ｒ」は、夫々、本発明に係る「第１領域」、「第２領域」、「第５領域」、「第３領域」及び「第４領域」の一例である。
【００８７】
再び図８に戻り、当該プロジェクタ１２００の動作時に、ＣＰＵ１１１６によって、ダイクロイックミラー１１０４及び１１０８の夫々が透過する光が異なるように、アクチュエータ１１０５及び１２０９が制御されることにより、青色光、赤色光及び緑色光の夫々が、液晶パネル１１１０ａ、１１１０ｂ及び１１１０ｃの夫々に入射する。
【００８８】
ダイクロイックミラー１１０４及び１１０８夫々を透過する光と、液晶パネル１１１０ａ、１１１０ｂ及び１１１０ｃ夫々に入射する光との関係は、具体的には図１０に示すようになる。図１０は、図５と同趣旨の、本実施形態に係る各ダイクロイックミラーを透過する光と、各液晶パネルに入射する光との関係を示した表である。
【００８９】
以上の結果、本実施形態に係るプロジェクタ１２００によれば、ダイクロイックミラー１１０４及び１１０８が駆動されることによって、特定の液晶パネルのみが青色光を変調することを回避することができ、簡便に液晶パネル１１１０ａ、１１１０ｂ及び１１１０ｃの劣化を抑制することができる。
【００９０】
加えて、各液晶パネル１１１０ａ、１１１０ｂ及び１１１０ｃが、青色光、赤色光及び緑色光の夫々を均等に変調することができ、液晶パネル１１１０ａ、１１１０ｂ及び１１１０ｃ夫々の劣化の程度を均一にすることができる。
【００９１】
尚、本発明は、上述した実施形態に限られるものではなく、請求の範囲及び明細書全体から読み取れる発明の要旨、或いは思想に反しない範囲で適宜変更可能であり、そのような変更を伴うプロジェクタもまた、本発明の技術的範囲に含まれるものである。
【図面の簡単な説明】
【００９２】
【図１】第１実施形態に係るプロジェクタの構成例を示す平面図である。
【図２】第１実施形態に係る液晶パネルにおけるＴＦＴアレイ基板をその上に形成された各構成要素と共に対向基板の側からみた平面図である。
【図３】図２のＨ−Ｈ´線断面図である。
【図４】第１実施形態に係るダイクロイックミラーを模式的に示す模式図である。
【図５】第１実施形態に係る各ダイクロイックミラーを透過する光と、各液晶パネルに入射する光との関係を示した表である。
【図６】第１実施形態の第１変形例に係るダイクロイックミラーを模式的に示す模式図である。
【図７】第１実施形態の第２変形例に係るダイクロイックミラーを模式的に示す模式図である。
【図８】第２実施形態に係るプロジェクタの構成例を示す平面図である。
【図９】第２実施形態に係るダイクロイックミラーを模式的に示す模式図である。
【図１０】第２実施形態に係る各ダイクロイックミラーを透過する光と、各液晶パネルに入射する光との関係を示した表である。
【符号の説明】
【００９３】
１１００、１２００…プロジェクタ、１１０２…ランプユニット、１１０３…集光レンズ、１１０４、１１０８…ダイクロイックミラー、１１０５、１２０９…アクチュエータ、１１１０ａ、１１１０ｂ、１１１０ｃ…液晶パネル、１１１２…ダイクロイックプリズム、１１１４…投射レンズ、１１１６…ＣＰＵ、１１１８…メモリ
【図１】
2009025681.tif 000003
【図２】
2009025681.tif 000004
【図３】
2009025681.tif 000005
【図４】
2009025681.tif 000006
【図５】
2009025681.tif 000007
【図６】
2009025681.tif 000008
【図７】
2009025681.tif 000009
【図８】
2009025681.tif 000010
【図９】
2009025681.tif 000011
【図１０】
2009025681.tif 000012